(57)【要約】【課題】  スリットガラスの原稿と読取部との間にあるゴミを取り除くことを簡単な構成で実現する画像読取装置を提供する。【解決手段】  この画像読取装置は、原稿を載せる原稿トレイと、原稿を誘導する搬送路と、原稿を搬送する搬送コロと、原稿画像を読み取る読取手段と、原稿画像を読み込むための搬送路上にあって原稿が接触して通過するスリットガラスと、搬送後の原稿が蓄積される排紙トレイとを備えたシートスルー方式の原稿自動給紙手段を搭載した画像読取装置であって、特殊用紙トレイと、該特殊用紙トレイに積載された用紙が前記搬送路に誘導されるように装着されたガイド板と、該ガイド板から前記搬送路に誘導された用紙が前記特殊用紙トレイへ再び蓄積されるように制御する用紙方向制御板とを備えている。【選択図】  図６
2006067398.tif 000002
【特許請求の範囲】
【請求項１】
原稿を載せる原稿トレイと、原稿を誘導する搬送路と、原稿を搬送する搬送コロと、原稿画像を読み取る読取手段と、原稿画像を読み込むための搬送路上にあって原稿が接触して通過するスリットガラスと、搬送後の原稿が蓄積される排紙トレイとを備える画像読取装置であって、特殊用紙トレイと、該特殊用紙トレイに積載された用紙が前記搬送路に誘導されるように装着されたガイド板と、該ガイド板から前記搬送路に誘導された用紙が前記特殊用紙トレイへ再び蓄積されるように制御する用紙方向制御板と、を備えることを特徴とする画像読取装置。
【請求項２】
請求項１に記載の画像読取装置において、前記特殊用紙トレイから用紙を読み込み、前記搬送路を通って再び特殊用紙トレイに戻るまでの用紙の搬送ルートは、前記原稿トレイから読み込んだ原稿が前記搬送路を通って前記排紙トレイへと搬送される搬送ルートとは逆のルートを搬送するようにしたことを特徴とする画像読取装置。
【請求項３】
請求項１または２に記載の画像読取装置において、前記特殊用紙トレイに積載された用紙は、特殊コーティングが施されているか、あるいは、表面に溝又は突起が設けられており、前記スリットガラス上のゴミを吸着しやすい特殊用紙であることを特徴とする画像読取装置。
【請求項４】
請求項３に記載の画像読取装置において、前記原稿トレイから用紙が読み込まれていない時に、前記特殊用紙トレイから前記特殊用紙を前記搬送路に誘導し、前記スリットガラスに接触して、前記特殊用紙トレイに再蓄積するように前記用紙方向制御板を制御する制御手段と、前記特殊用紙がスリットガラス上を通過する場合に、該特殊用紙をスリットガラス面に押え付ける特殊用紙押さえコロとを備えることを特徴とする画像読取装置。
【請求項５】
請求項３または４に記載の画像読取装置において、前記スリットガラス上のゴミを検知するゴミ検知手段を備え、前記ゴミ検知手段がゴミを検知した場合に、前記特殊用紙トレイに積載されている前記特殊用紙を、該スリットガラス上を接触しながら搬送するように制御する制御手段を備えたことを特徴とする画像読取装置。
【発明の詳細な説明】
【技術分野】
【０００１】
本発明は、画像読取装置に関し、特に、シートスルー方式の原稿自動給紙装置を搭載した画像読取装置に関する。
【背景技術】
【０００２】
従来技術として、特許文献１がある。これは、スリットガラスに付着したゴミを検知すると、読取部を副走査方向に移動させて、原稿と画像読取部との間にあるゴミを回避するようにしている。この回避手段によりスリットガラスに付着したゴミが画像データに合成されないようにしている。
【特許文献１】特開平１０−５６５４２号公報
【発明の開示】
【発明が解決しようとする課題】
【０００３】
しかしながら、特許文献１の技術においては、ゴミの大きさによっては回避しきれない場合があること、回避できたとしても本来の読取位置とは大きく異なってしまった場合、本来の画像データと異なる画像データとなってしまうこともあり得る。
また、回避のための読取部の移動制御に精度が要求され、回路構成、又は制御ソフトが複雑になってしまうという問題がある。
本発明は、上述した実情を考慮してなされたもので、スリットガラスの原稿と読取部との間にあるゴミを取り除くことを簡単な構成で実現する画像読取装置を提供することを目的とする。
【課題を解決するための手段】
【０００４】
上記の課題を解決するために、請求項１に記載の発明は、原稿を載せる原稿トレイと、原稿を誘導する搬送路と、原稿を搬送する搬送コロと、原稿画像を読み取る読取手段と、原稿画像を読み込むための搬送路上にあって原稿が接触して通過するスリットガラスと、搬送後の原稿が蓄積される排紙トレイとを備える画像読取装置であって、特殊用紙トレイと、該特殊用紙トレイに積載された用紙が前記搬送路に誘導されるように装着されたガイド板と、該ガイド板から前記搬送路に誘導された用紙が前記特殊用紙トレイへ再び蓄積されるように制御する用紙方向制御板とを備えることを特徴とする。
請求項２に記載の発明は、請求項１に記載の画像読取装置において、前記特殊用紙トレイから用紙を読み込み、前記搬送路を通って再び特殊用紙トレイに戻るまでの用紙の搬送ルートは、前記原稿トレイから読み込んだ原稿が前記搬送路を通って前記排紙トレイへと搬送される搬送ルートとは逆のルートを搬送するようにしたことを特徴とする。
請求項３に記載の発明は、請求項１または２に記載の画像読取装置において、前記特殊用紙トレイに積載された用紙は、特殊コーティングが施されているか、あるいは、表面に溝又は突起が設けられており、前記スリットガラス上のゴミを吸着しやすい特殊用紙であることを特徴とする。
請求項４に記載の発明は、請求項３に記載の画像読取装置において、前記原稿トレイから用紙が読み込まれていない時に、前記特殊用紙トレイから前記特殊用紙を前記搬送路に誘導し、前記スリットガラスに接触して、前記特殊用紙トレイに再蓄積するように前記用紙方向制御板を制御する制御手段と、前記特殊用紙がスリットガラス上を通過する場合に、該特殊用紙をスリットガラス面に押え付ける特殊用紙押さえコロとを備えることを特徴とする。
請求項５に記載の発明は、請求項３または４に記載の画像読取装置において、前記スリットガラス上のゴミを検知するゴミ検知手段を備え、前記ゴミ検知手段がゴミを検知した場合に、前記特殊用紙トレイに積載されている前記特殊用紙を、該スリットガラス上を接触しながら搬送するように制御する制御手段を備えたことを特徴とする。
【発明の効果】
【０００５】
本発明によれば、操作者の手を煩わせることなく自動的にゴミを除去できる。ここで、原稿トレイからの用紙の搬送ルートと、特殊用紙トレイからの用紙の搬送ルートとを逆のルートとすることにより、スリットガラスに付着したゴミを除去しやすくなった。
さらに、用紙に、特殊コーティングを施したり、又は、表面に溝や突起を設けたりすることにより、スリットガラスに付着したゴミを除去しやすくなった。
また、特殊用紙がスリットガラス上を通過する場合に、この特殊用紙をスリットガラス面に押え付ける特殊用紙押さえコロを備えたことにより、スリットガラスに付着したゴミを除去しやすくなった。
また、スリットガラス上のゴミを検知し、特殊用紙トレイに積載されている特殊用紙を、スリットガラス上を接触しながら搬送するようにしたことにより、ゴミが検知された場合のみゴミ除去処理が実施でき、効率的な動作ができるようになった。
【発明を実施するための最良の形態】
【０００６】
以下、図面を参照して、本発明の実施形態を詳細に説明する。
図１は、本発明に係る画像読取装置の外観を示している。１０１はオートドキュメントフィーダ装置（以下ＡＤＦ）、１０２は読み取るべき原稿を置く原稿台（原稿トレイ）、１０４は読み取られた原稿が排紙される原稿排紙台（排紙トレイ）、１０３は原稿がジャムした時に取り出すための開閉カバー、１０５はスキャナ装置である。
ＡＤＦ１０１は、原稿台１０２に置かれた複数の原稿を１枚ずつ搬送し、原稿排紙台１０４に排出する。スキャナ装置１０５は、ＡＤＦ１０１の下に位置し、ＡＤＦ１０１により搬送されてくる原稿を固定位置で順次読み取り、デジタル画像データとして読み込む装置である。
図２は、ＡＤＦ１０１の詳細な構成を示している。この図において、２０２は原稿台からスムースに送り出すためのガイド板である。２０３は給紙ベルト、２０４は分離コロである。給紙ベルト２０３と分離コロ２０４は、それぞれ回転しながら読み取るべき原稿を１枚ずつ給紙していく。即ち、給紙ベルト２０３は、図２において右回転、分離コロ２０４も右回転するように制御し、一番上の原稿のみが給紙できるように構成されている。
次に、２０５は原稿を誘導する搬送路であり、原稿は搬送コロ２０６によって搬送路２０５上を搬送される。
２０７は原稿を検知する原稿検知センサである。原稿検知センサ２０７は、後述するセンサ制御部３０１の制御のもと、原稿の先端、後端を検知して制御部３０２に通知する。
２０８はスリットガラスである。このスリットガラス２０８を通して原稿の画像データが読み取られる。２０９、２１０、２１１もそれぞれ搬送コロである。
スリットガラス２０８で読み取られた原稿は、これらの搬送コロ２０９、２１０、２１１の回転により順次、排紙台１０４に排紙される。このような搬送コロ２０９、２１０、２１１による原稿の搬送は、制御部３０２によりステッピングモータ制御部３０３を制御してステッピングモータを回転させることにより制御される。
【０００７】
図３は本発明に係る画像読取装置の構成を示す図である。
この図４に示す３０４はゲート信号生成部である。ゲート信号生成部３０４によって発生されたゲート信号は、画像読取装置の副走査方向の有効画像領域を示す信号である。後段の画像処理部３０８は、このゲート信号を副走査の有効画像範囲を示す信号として入力する。
図３の３０６は操作部である。操作部３０６からの入力により、画像読取装置の一連の動作を開始することができる。
図４は、スキャナ装置１０５の詳細な構成を示す。ＡＤＦ１０１によって搬送された原稿は、スリットガラス２０８を介して、例えば、ハロゲンランプから構成される照明ランプ４０２により露光される。４０３は、複数の走査ミラーであり、光学走査ユニット４０４に収容され、原稿からの反射光をＣＣＤユニット４０６に導く。
ＣＣＤユニット４０６は、原稿からの反射光をＣＣＤに結像させる結像レンズ４０５と、ＣＣＤからなる撮像素子から構成されている。撮像素子からの画像信号出力は、例えば、８ビットのデジタルＲＧＢ画像データに変換された後、画像処理部４０７に入力され、各種の画像処理が行われる。
ＡＤＦ１０１は、画像データと共に副走査方向の有効画像ゲート信号を生成する。副走査方向の有効画像ゲート信号とは、画像データの副走査方向の有効な領域を示す信号である。
【０００８】
図５は、副走査有効画像ゲート信号を示している。図５のライン同期信号は、主走査方向の先頭基準信号である。副走査有効画像ゲート信号は、このライン同期信号と同期化している。副走査有効画像ゲート信号が例えばアクティブＬの場合、この副走査有効画像ゲート信号がＬレベル間のライン同期信号の数が副走査の有効ライン数となる。画像処理手段４０７は、この副走査有効画像ゲート信号を検知して有効範囲に対してのみ画像処理を施すような回路構成になっている。
ＡＤＦ１０１における副走査有効画像ゲート信号は、図２で示したように原稿検知センサ２０７によって生成される。例えば、原稿が原稿検知センサ２０７の手前の搬送路上にある場合は、副走査有効画像ゲート信号はＨレベルを保持し、原稿が原稿検知センサ２０７の真下を通過している場合は、Ｌレベルを保持し、さらに原稿の後端が原稿検知センサ２０７を通過してしまえば、又Ｈレベルに戻るといった仕様にすることもできる。
但し、原稿検知センサ２０７の取り付け位置と原稿画像の読み取り口であるスリットガラス２０８の取り付け位置がメカ的な制約上、異なる場合、画像の有効範囲と副走査有効画像ゲート信号の位置関係もずれてしまう。
よって、実際に副走査有効画像ゲート信号として使用する場合には、有効画像データと同期を合わせるように、副走査有効画像ゲート信号を遅延させるか、或いは副走査有効画像ゲート信号を基準にして、カウンタ、コンパレータ等の簡単な演算回路で第２の副走査有効画像ゲート信号を生成する必要がある。
例えば、センサ制御部３０１から入力された信号を基準とし、演算部３０７の演算により画像と同期を合わせたゲート信号をゲート信号生成部３０４で生成することができる。
【０００９】
図６は、本発明におけるＡＤＦの構成図を示している。
６０１は特殊用紙トレイである（特殊用紙については後述する）。６０２は特殊用紙搬送コロであり、特殊用紙トレイ６０１に置かれた特殊用紙を６０９の搬送コロとともに通常の原稿搬送経路に導くためのコロである。
搬送コロ６０２、６０９によって給紙された特殊用紙は、ガイド板６０８によって、原稿読み取りのための原稿搬送経路に導かれる。
図７を用いてガイド板６０８の構成について説明する。ガイド板６０８は、図７（２）で示すように、通常の原稿読み取りの場合には原稿の搬送経路から離れており、さらに搬送コロ６０９は搬送のための回転を停止するようステッピングモータ制御部３０３で制御されている。
次に、スリットガラスに何らかのゴミが付着し、特殊用紙トレイ６０１に置かれた特殊用紙をスリットガラス面に擦り付けてゴミを除去する場合、図７（３）で示すようにガイド板６０８を通常の原稿搬送経路に接続し、特殊用紙トレイ６０８上の特殊原稿が原稿搬送経路に進入できるように制御される。
次に、特殊用紙押さえコロ６０６は、前述した搬送コロと同様に特殊用紙を搬送するために搬送方向に回転している。加えて特殊用紙押さえコロは、特殊用紙がスリットガラス２０８上を通る時に特殊用紙をスリットガラス面に抑えるように制御される。図８はその様子を示している。
図８（１）は通常原稿がスリットガラス２０８上を通過する場合の図であり、図８（２）は特殊用紙がスリットガラス上を通過する場合の図であり、特殊用紙押さえコロ６０６の位置が、図８（１）に示す特殊用紙押さえコロ６０６の位置と異なって少し下がり、特殊用紙がこの間を通過する場合にスリットガラス２０８上のゴミを除去できやすいようにしている。これによりスリットガラス２０８に強固に付着したゴミを除去することができる。
【００１０】
次に、図６に示す用紙方向制御板６０５は、搬送されてきた特殊用紙を通常の原稿トレイ１０２に排紙するのではなく、特殊用紙トレイ６０１に排紙されるように用紙方向を制御している。即ち、図９（１）に示すように、通常原稿を原稿トレイ１０２から読み込む場合には、用紙方向制御板６０５を上方向に位置し、特殊用紙搬送経路６０３を経て、特殊用紙を特殊用紙トレイ６０１に排紙する場合は図９（２）に示すように、用紙方向制御板６０５を下方向に位置するように制御する。
図６を用いて、本発明における搬送経路について説明する。
通常原稿の読み取りの場合は、原稿トレイ１０２から用紙方向制御板６０５、原稿搬送路２０５を経て、スリットガラス２０８を通過し、原稿排紙台１０４へと順次搬送される。しかしながら特殊用紙の搬送経路は、特殊用紙トレイ６０１からガイド板６０８、そして原稿搬送路と共通の搬送路を経て、用紙方向制御板６０５、そして特殊用紙搬送コロ６０４の誘導により、特殊用紙搬送路６０３を通って、特殊用紙トレイ６０１に再び戻ってくる経路をたどる。
このように、通常原稿の読み込みと特殊用紙の搬送経路を逆にすることで、スリットガラス上に付着したゴミをより除去しやすくすることができる。さらに特殊用紙押さえコロ６０６により、スリットガラス６０７に特殊用紙を押え付けることで、さらにゴミの除去が効率良くできるように構成している。
【００１１】
ここで、特殊用紙について説明する。図１０は特殊用紙の一例を示している。
図１０（１）は、スリットガラス上のゴミを除去するために用紙面に突起物を塗布した例である。また、この突起物を用紙の両面に塗布することによって、片面が汚れスリットガラス上のゴミが除去しにくくなった場合、裏返してセットすることにより再びゴミを除去することができるようになる。
図１０（２）は、スリットガラス上のゴミを除去するために用紙面上に溝を付けた例である。この溝も用紙の両面に付すことにより、片面が汚れスリットガラス上のゴミが除去しにくくなった場合、裏返してセットすることにより再びゴミを除去することができるようになる。
次に、図１１を用いて、ガイド板、用紙方向制御板、特殊用紙押さえコロの動作メカ構造を説明する。図１１で示すように、ガイド板６０８、用紙方向制御板６０５、特殊用紙押さえコロ６０６のそれぞれには、所定の位置を所定の範囲で上下動作を行う上下移動板１１０４が接続されている。さらに上下移動板１１０４は、それを上に押し上げようとするスプリング１１０６、そのスプリング１１０６と向かい合うように、つまり上下移動板１１０４を下に押し下げようとするソレノイド１１０５から構成されている。
図１１（１）は、通常の原稿読み取りを行う場合のガイド板６０８、用紙方向制御板６０５、特殊用紙押さえコロ６０６のそれぞれの位置を示している。制御部３０２の制御によりソレノイド制御部３０５（図３参照）は、ソレノイド１１０５の押し当て棒を縮め、スプリング１１０６の押し上げる力で、用紙方向制御板６０５を原稿トレイ側、ガイド板６０８を搬送経路から離れる状態、特殊用紙押さえコロ６０６をスリットガラスから離れる状態に制御する。
図１１（２）は、特殊用紙を搬送経路に搬送する場合のガイド板６０８、用紙方向制御板６０５、特殊用紙押さえコロ６０６のそれぞれの位置を示している。ソレノイド制御部３０５は、ソレノイド１１０５の押し当て棒を伸ばし、その押し下げる力で、用紙方向制御板６０５を特殊用紙トレイ側、ガイド板６０８を搬送経路に接続する状態、特殊用紙押さえコロ６０６をスリットガラスに近づき通過する特殊用紙を抑える状態に制御する。
【００１２】
以上に説明した画像読取装置の読み取り処理の流れを図１２のフローチャートを用いて説明する。
まず、原稿を読み込む前にスリットガラス上にゴミがあるかないかの検知処理（ゴミ検知部３０９）を行う（ステップＳ１２０１）。
このゴミ検知処理により、ゴミが無いと判断されれば（ステップＳ１２０２のＮ）、搬送経路の設定を通常原稿読み取りの経路に設定する（ステップＳ１２０３）。これは前記ソレノイド制御部３０５によりソレノイドの押し当て棒を縮めることで実現する。
次に、ステッピングモータ制御部３０３の制御により各部の搬送コロを原稿の搬送方向に回転させ、原稿を搬送経路に搬送しスリットガラスを介して画像の読み込みを実施する（ステップＳ１２０４）。
読み込んだ画像データは、何らかの所定の処理が施され、次工程（本発明は画像読取装置であり、読み取り後の処理は特に明記しない）で活用される（ステップＳ１２０５）。
次に、さらに読み込むべき原稿が無い場合には（ステップＳ１２０６のＮ）、本原稿読み込み処理を終了する。
一方、原稿がある場合には（ステップＳ１２０６のＹ）、ステップＳ１２０１へ戻る。
一方、ステップ１２０１のゴミ検知処理の結果がゴミであると判断されれば（ステップ１２０２のＹ）、原稿の搬送処理を中断し、前記特殊用紙の搬送のための搬送経路設定を行う（ステップＳ１２０７）。これは前記ソレノイド制御部３０５によりソレノイドの押し当て棒を伸ばすことで実現する。
次に、ステッピングモータ制御部３０３の制御により各部の搬送コロを、特殊用紙を搬送する方向に回転し、特殊用紙を搬送経路に搬送しスリットガラス上のゴミを除去し、ゴミ除去を実施した特殊用紙は、前記説明のように再び特殊用紙トレイに戻り、再度搬送可能な状態となる（ステップＳ１２０８）。
ゴミ除去処理を実施した後、まだ原稿が無い場合には（ステップＳ１２０６のＮ）、本原稿読み込み処理を終了し、他方、原稿がある場合には（ステップＳ１２０６のＹ）、ステップＳ１２０１へ戻り、上記したような処理を繰り返し行うことになる。これにより、本実施の形態としての画像読取装置の読み取り動作を実現することができる。
【図面の簡単な説明】
【００１３】
【図１】本発明に係る画像読取装置の外形を示す図。
【図２】ＡＤＦの詳細な構成を示す図。
【図３】本発明に係る画像読取装置の構成を示す図。
【図４】スキャナ装置の詳細な構成を示す図。
【図５】副走査有効画像ゲート信号と画像データの有効・無効の関係を示す図。
【図６】本発明におけるＡＤＦの構成を示す図。
【図７】ガイド板の構成を示す図。
【図８】通常原稿がスリットガラス上を通過する場合および特殊用紙がスリットガラス上を通過する場合を説明する図。
【図９】原稿トレイからの原稿を給紙する場合と、特殊用紙を特殊用紙トレイに排紙する場合とで、制御される用紙方向制御板の位置を示す図。
【図１０】本発明の特殊用紙の一例を示す図。
【図１１】ガイド板、用紙方向制御板、特殊用紙押さえコロの動作メカ構造を示す図。
【図１２】画像読取装置の読み取り処理の流れを示すフローチャート。
【符号の説明】
【００１４】
１０１  オートドキュメントフィーダ装置（ＡＤＦ）、１０２  原稿台、１０３  開閉カバー、１０４  原稿排紙台、１０５  スキャナ装置、２０２  ガイド板、２０３  給紙ベルト、２０４  分離コロ、２０５  搬送路、２０６  搬送コロ、２０７  原稿検知センサ、２０８  スリットガラス、２０９、２１０、２１１  搬送コロ、３０１  センサ制御部、３０２  制御部、３０３  ステッピングモータ制御部、３０４  ゲート信号生成部、３０５  ソレノイド制御部、３０６  操作部、３０７  演算部、３０８  画像処理部、３０９  ゴミ検知部、４０２  照明ランプ、４０３  複数の走査ミラー、４０４  光学走査ユニット、４０５  結像レンズ、４０６  ＣＣＤユニット、４０７  画像処理部、６０１  特殊用紙トレイ、６０２  特殊用紙搬送コロ、６０３  特殊用紙搬送路、６０４  特殊用紙搬送コロ、６０５  用紙方向制御板、６０６  特殊用紙押さえコロ、６０８  ガイド板、６０９  搬送コロ、１１０４  上下移動板、１１０５  ソレノイド、１１０６  スプリング。
【図１】
2006067398.tif 000003
【図２】
2006067398.tif 000004
【図３】
2006067398.tif 000005
【図４】
2006067398.tif 000006
【図５】
2006067398.tif 000007
【図６】
2006067398.tif 000008
【図７】
2006067398.tif 000009
【図８】
2006067398.tif 000010
【図９】
2006067398.tif 000011
【図１０】
2006067398.tif 000012
【図１１】
2006067398.tif 000013
【図１２】
2006067398.tif 000014